(57)【特許請求の範囲】
【請求項１】
生成するイオン水のｐＨ値を複数の濃度レベルに分けて段階的に設定できるｐＨ設定部と、前記濃度レベルのそれぞれで使用することができるイオン水の用途を前記濃度レベルと対応させてそれぞれ表示する用途表示部を備え、前記ｐＨ設定部の複数の濃度レベルと前記用途表示部の用途がそれぞれ対応づけられて一覧表示されていることを特徴とするアルカリイオン整水器。
【請求項２】
前記ｐＨ設定部と前記用途表示部とを本体容器前面に設けたことを特徴とする請求項１記載のアルカリイオン整水器。
【請求項３】
前記ｐＨ設定部によって設定されたｐＨ値が、前記濃度レベル内で微調整できることを特徴とする請求項１または２のいずれかに記載のアルカリイオン整水器。
【請求項４】
ｐＨセンサによって検出されたｐＨ値と目標のｐＨ値とを比較し、電気分解のための直流電圧電流の基本パルスのデューティー比を変更して前記検出されたｐＨ値を前記目標のｐＨ値に近づける制御手段を備えたことを特徴とする請求項１〜３のいずれかに記載のアルカリイオン整水器。
【請求項５】
目標のｐＨ値を表示するｐＨ表示手段を設けたことを特徴とする請求項４記載のアルカリイオン整水器。
【請求項６】
前記ｐＨ設定部によって設定されるｐＨ値が、前記濃度レベルのそれぞれで前回使用したｐＨ値によって交換的に更新されていくことを特徴とする請求項４または５記載のアルカリイオン整水器。
【請求項７】
前記ｐＨ設定部で強アルカリイオン水を吐出する濃度レベルを設定して電気分解し、強アルカリイオン水とともに生成される強酸性イオン水を使用することができることを特徴とする請求項１〜６記載のアルカリイオン整水器。
【発明の詳細な説明】
【０００１】
【発明の属する技術分野】
本発明は、水道水等の原水を電気分解して、飲用、医療用として利用するアルカリイオン水及び化粧水、殺菌洗浄水等として利用する酸性イオン水を製造するアルカリイオン整水器に関するものである。
【０００２】
【従来の技術】
近年、連続電解方式のイオン水生成器としてアルカリイオン整水器が普及している。このアルカリイオン整水器は、電解槽内で水道水等を電気分解して、陽極側に酸性イオン水を生成し、陰極側にアルカリイオン水を生成するものである。
【０００３】
以下、従来の連続電解方式のアルカリイオン整水器について説明する。図４は従来のアルカリイオン整水器の概略構造図、図５は従来のアルカリイオン整水器の操作表示部概略図、図６は従来のアルカリイオン整水器の要部電気回路図である。１は水道水等の原水管、２は水栓、３は水栓２を介して原水管１と接続されたアルカリイオン整水器、４は内部に原水中の残留塩素を吸着する活性炭及び一般細菌や不純物を取り除く中空糸膜等を備えた浄水部、５はグリセロリン酸カルシウムや乳酸カルシウム等のカルシウムイオンを原水中に付与し導電率を高めるカルシウム供給部、６は通水を確認し後述の制御手段に制御指示する流量センサ、７は流量センサ６を経由してきた水を電気分解する電解槽、８は電解槽を２分し電極室を形成する隔膜、９，１０は隔膜８で２分されて形成された各電極室に配設された電極板、１１は電極板１０側の水（電極板１０が陽極の場合は酸性イオン水）を排出する排水管、１２は電解槽７と排水管１１の接続部付近に配設されアルカリイオン水を効率よく生成するために設けられた吐水流量調整用の流量調整部、１３は電極板９側の水（電極板９が陰極の場合はアルカリイオン水）を吐出する吐出管、１４は電解槽７内の滞留水や電極板洗浄時のＣａ，Ｍｇ等からなるスケールが溶解した洗浄水を排水するための電磁弁、１５は排水管１１を介して電極板１０側の水（電極板１０が陽極の場合は酸性イオン水）や電解槽７の滞留水や洗浄水を排水する放水管、１６は浄水部４内のカートリッジ（図示せず）の有無を検出する浄水器センサ、１７は電源投入用プラグ、１８は電源投入用プラグ１７からの交流電源を直流電源に変える電源部、１９はアルカリイオン整水器３の動作を制御する制御手段、２０はアルカリイオン整水器３の操作状態を表示しする操作表示部である。
【０００４】
ところで図５に示すように、この操作表示部２０には、モード選択ボタン２００、生成報知部２０１、ｐＨ調節ボタン２０２、カルシウム補充リセットスイッチ２０３、洗浄報知部２０４が設けられている。モード選択ボタン２００はアルカリイオン水生成モードと、酸性イオン水生成モードと、浄水モードのどれかを切換、選択できるようになっている。このモード選択ボタン２００で３つのモードのうちのどれかを選択して通水すると、制御手段１９によって極性と通水状態が判断され、電気分解後所定の水を吐出することができる。生成報知部２０１はランプであり、電気分解の状態が落ち着いてきたら、アルカリイオン整水器３で生成されるアルカリイオン水、酸性イオン水の水質が安定したことを点灯して利用者に報知する。またｐＨ調節ボタン２０２によって強モードと、中モード、弱モードのどれか１つのモードが切換、選択できるようになっており、いずれかを選択すると、制御手段１９が後述するように濃度の異なるイオン水を供給するものである。また洗浄報知部２０４もランプであり、電極板９，１０にＣａ，Ｍｇ等のスケールが付着してくると再生のため電圧の極性を反転させて印加して洗浄するが、この際に点灯または点滅するものである。
【０００５】
次に図６に基づいて、従来のアルカリイオン整水器３の電気回路について説明する。２２は電源部１８の内部に配置されたトランス、２３は制御等に必要な直流電圧電流を発生する制御用直流電源、２４は電気分解に必要な直流電圧電流を発生する電解用直流電源、２５は電解用直流電源２４へ流入する交流電流を監視するカレントトランスデューサ、２６はカレントトランスデューサ２５からの信号を直流レベルに変換する平滑化回路、２７はＦＥＴ等からなり電解槽７に印加される電圧を制御する出力制御回路、２８は電解槽ー電磁弁切り替えリレー、２９は電極板９，１０の極性を切り替える極性切り替えリレー、３０は電磁弁ソレノイドである。そして電解用直流電源２４からの直流電圧電流は、出力制御回路２７、電解槽ー電磁弁切り替えリレー２８、極性切り替えリレー２９を介して電解槽７の電極板９，１０に給電される。この直流電圧電流は、出力電圧が一定で数百Ｈｚの基本パルスから構成されるが、出力制御回路２７がこの基本パルスの出力パルス幅を変調することによって平均電圧を変化させるパルス幅制御方式の電圧制御を行っている。すなわちこのパルス幅を出力制御回路２７で変更させると、直流電圧電流のデューティー比が変化し、見かけ上電圧が変化したと等価な状態を作るものである。利用者が操作表示部２０のｐＨ調節ボタン２０２を押して所望のｐＨレベルを選択すると、流量センサ６で検出される水の流量から制御手段１９が平均印加電圧とそれに対応したデューティー比を記憶部３３から読みだし、このデューティー比に基づいて出力制御回路２７を動作させてアルカリイオン整水器３の電圧制御を行うものである。
【０００６】
次に、以上のように構成された従来のアルカリイオン整水器３について、以下そのアルカリイオン水を生成する際の動作を説明する。利用者は操作表示部２０のモード選択ボタン２００を押してアルカリイオン水生成モードを選択設定するとともに、ｐＨ調節ボタン２０２で例えば弱モードを選択し、水栓２を開く。水栓２から通水された原水は、浄水部４で原水中の残留塩素の臭いや一般細菌等の不純物が取り除かれ、カルシウム供給部５でグリセロリン酸カルシウム等が溶解され電解容易な水に処理された後、流量センサ６を経て電解槽７に通水される。
【０００７】
一方電源投入用プラグ１７よりＡＣ１００Ｖが供給され、電源部１８内部のトランス２２を介して制御用直流電源２３で電気分解に必要な直流電圧電流を発生する。また電解用直流電源２４からの直流電圧電流は、出力制御回路２７を経て、後記するように電解槽ー電磁弁切り替えリレー２８、極性切り替えリレー２９が切り替えられることにより電解槽７の電極板９，１０に給電される。相対的にプラス電圧を印加する電極板を陽極、マイナス電極板を印加する電極板を陰極とすると、これにより、電解槽７内に隔膜８で仕切られた陽極室と陰極室とが形成される。
【０００８】
さて通水後、制御手段１９は流量センサ６の信号を読み取り、流量レベルが一定レベルを越えるとこの状態を通水中と判断する。このときモード選択ボタン２００とｐＨ調節ボタン２０２の押圧により既に電解条件が設定されているから、制御手段１９は電解槽７による電気分解を行うために、電解槽ー電磁弁切り替えリレー２８を電解槽側へ切り替え、極性切り替えリレー２９を電極板９側が陰極となるように動作指令の出力をする。これにより、陰極室にはアルカリイオン水が、陽極室には酸性イオン水が生成されることになる。そしてこのとき操作表示部２０の生成報知部２０１が点灯される。
【０００９】
さらに、制御手段１９は、電極板表面にＣａ，Ｍｇ等からなるスケール等の付着物が付着してきたら、アルカリイオン整水器３が止水状態になったとき、電圧の極性を反転させて印加して前記スケール等を電解水中に溶出させて電極板を洗浄する。その後、電解槽ー電磁弁切り替えリレー２８を作動させて電磁弁１４に給電しこれを開弁させて、スケールを含有した洗浄水を放水管１５より放水する。このとき操作表示部２０の洗浄報知部２０４が点灯または点滅させて、吐出される水を飲用しないように報知するものである。
【００１０】
【発明が解決しようとする課題】
このように従来のアルカリイオン整水器は、アルカリイオン水と酸性イオン水と浄水が選択でき、イオン水のｐＨを強モード、中モード、弱モードの３つのレベルに制御できるものであったが、所定のｐＨ値を保つことができるようにフィードバック制御するものではなかった。また、アルカリイオン整水器に供給される原水は、炭酸イオンや重炭酸イオン等の濃度または導電率等のように、ｐＨ値に影響を与える要因が地方々々で異なり、電気分解後吐出されるイオン水の濃度はまちまちのものとなっていた。加えて流量調整部の調節の仕方で電解槽を通過するのにかかる時間が異なり、ｐＨ値も同時に大きく変動するものであった。従って従来のアルカリイオン整水器から吐出されるイオン水のｐＨ値は予測の非常に難しいものであった。
【００１１】
そして従来のアルカリイオン整水器においてはこのようにｐＨ値を所定の値に調節することができないことも原因して、用途ごとに最も適したｐＨ値や望みのｐＨ値があっても、用途の観点からｐＨ設定できず、使い勝手が悪いものであった。
【００１２】
そこで本発明は、水の用途に応じたｐＨ設定が簡単にできるとともに、流量調整の程度や地方々々で原水が異なっても吐出するイオン水のｐＨ値を所定の値に保つことができ、使用する原水の水質を学習していくことにより調節する手間が次第に減っていくアルカリイオン整水器を提供することを目的とする。
【００１３】
【課題を解決するための手段】
上記の課題を解決するために本発明のアルカリイオン整水器は、生成するイオン水のｐＨ値を複数の濃度レベルに分けて段階的に設定できるｐＨ設定部と、濃度レベルのそれぞれで使用することができるイオン水の用途を濃度レベルと対応させてそれぞれ表示する用途表示部を備え、ｐＨ設定部の複数の濃度レベルと用途表示部の用途がそれぞれ対応づけられて一覧表示されていることを特徴とする。
【００１４】
この発明によれば水の用途に応じたｐＨ設定を簡単にすることができる。
【００１５】
【発明の実施の形態】
本発明の請求項１に記載の発明は、生成するイオン水のｐＨ値を複数の濃度レベルに分けて段階的に設定できるｐＨ設定部と、濃度レベルのそれぞれで使用することができるイオン水の用途を濃度レベルと対応させてそれぞれ表示する用途表示部を備え、ｐＨ設定部の複数の濃度レベルと用途表示部の用途がそれぞれ対応づけられて一覧表示されていることを特徴とするアルカリイオン整水器であり、水の用途に応じたｐＨ値の設定が直ちにできるものである。更に、この一覧表示の中から目的とする用途をさがすとともに、その用途と対応づけられた濃度レベルでｐＨ設定を行うことができる。
【００１７】
請求項２に記載された発明は、ｐＨ設定部と用途表示部とを本体容器前面に設けたものであり、本体容器前面だけを操作すれば直ちにｐＨ値の設定ができるものである。
【００１８】
請求項３に記載された発明は、ｐＨ設定部によって設定されたｐＨ値が濃度レベル内で微調整できるものであり、選択するｐＨ値の自由度を上げるものである。
【００１９】
請求項４に記載された発明は、ｐＨセンサによって検出されたｐＨ値と目標のｐＨ値とを比較し、電気分解のための直流電圧電流の基本パルスのデューティー比を変更して検出されたｐＨ値を目標のｐＨ値に近づける制御手段を備えたものであり、ｐＨ値を目標の値に近づけることができるものである。
【００２０】
請求項５に記載された発明は、目標のｐＨ値を表示するｐＨ表示手段を設けたものであり、制御されて吐出されるイオン水のｐＨ値は実質的にこの目標のｐＨ値であり、使用者は吐出されるイオン水のｐＨ値を知ることができる。
【００２１】
請求項６に記載された発明は、ｐＨ設定部によって設定されるｐＨ値が、濃度レベルのそれぞれで前回使用したｐＨ値によって交換的に更新されていくものであり、流量調整の程度や当該原水の水質が一定している場合には、これらを学習していくため、その後の操作をきわめて容易にするものである。
【００２２】
請求項７に記載された発明は、ｐＨ設定部で強アルカリイオン水を吐出する濃度レベルを設定して電気分解し、強アルカリイオン水とともに生成される強酸性イオン水を使用することができるものであり、システムをコンパクトにすることができる。
以下、本発明の実施の形態について図面を参照しながら説明する。
（実施の形態）
図１は本発明の実施の形態におけるアルカリイオン整水器の概略構造図である。また図２は本発明の実施の形態におけるアルカリイオン整水器の操作表示部概略図、図３は本発明の実施の形態のアルカリイオン整水器の要部電気回路部である。図１、図２、図３において、従来例の説明で用いた符号と同一符号のものは本実施の形態においても基本的に同一であるため、詳細な説明は従来例のところに譲って省略する。
【００２３】
図１に示すように、１は水道水等の原水管、２は水栓、３はアルカリイオン整水器、４は浄水部、５はカルシウム供給部、６は流量センサ、７は電解槽、８は隔膜、９，１０は電極板、１１は排水管、１２は流量調整部、１３は吐出管、１４は電磁弁、１５は放水管、１６は浄水器センサ、１７は電源投入用プラグ、１８は電源部、１９は制御手段である。
【００２４】
２２はトランス、２３は制御用直流電源、２４は電解用直流電源、２５はカレントトランスデューサ、２６は平滑化回路、２７は出力制御回路、２８は電解槽ー電磁弁切り替えリレー、２９は極性切り替えリレー、３０は電磁弁ソレノイドである。
【００２５】
３１は吐出管１３から分岐して排水管１１もしくは放水管１５に接続される分岐管に設けられたｐＨセンサである。ｐＨセンサ３１はガラス電極型のものや、半導体電極型、イオン導電性隔膜電極型のものが適当である。ｐＨセンサ３１で検出したｐＨ値検出信号は、制御手段１９に送信され処理される。また３２は操作表示部であり、図２に詳細に示すように、各種の設定と表示を行えるようになっており、アルカリイオン整水器３の本体容器前面に設けられている。このように前面に設けられているために、本体容器前面だけを操作すれば直ちにｐＨ値の設定等各種の設定ができるものである。３３は記憶部であって、イオン水を使用する度ごとに、後述するｐＨ設定部３２１によって設定されるｐＨ値を更新しながら記憶するものである。
【００２６】
操作表示部３２において、３２１は生成するイオン水のｐＨ値を複数の濃度レベルに分けて段階的に設定できるｐＨ設定部であり、一覧表示されている。ｐＨ設定部３２１には、ｐＨ値に応じて設定ボタンが複数設けられている。この実施の形態では６個設定ボタンが設けられている。また、３２２はｐＨ設定部３２１で所定の濃度レベルを選択設定したとき点灯する濃度レベル表示ランプ、３２３はこの濃度レベルにそれぞれ対応したイオン水の用途を表示する用途表示部である。ｐＨ設定部３２１と用途表示部３２３はともに一覧表示される。３２４は生成表示部であり、イオン水生成中に生成するイオン水の状態が安定すると点灯するものである。イオン水生成開始直後に点滅を開始させ、安定したら点灯するようにするのが望ましい。また、３２５はｐＨ値表示部であって、目標となるｐＨ値がＬＣＤ表示される。３２６はｐＨ微調整部であり、ｐＨ設定部３２１で設定されるｐＨ値を各濃度レベル内で微調整して適当な目標値に設定し直すものである。これによって選択可能なｐＨ値の自由度を上げることができる。３２７はカルシウム補充リセットスイッチであり、３２８は洗浄報知部である。３２９はｐＨ校正部であり、長時間ｐＨセンサ３１の使用を続けたとき、スケール等によって検出値に誤差が生じるようになるので、これを校正するものである。
【００２７】
次に、この操作表示部３２を使用してアルカリイオン整水器３を動作させたときの説明をする。アルカリイオン整水器３の使用者がアク抜きや野菜ゆでという目的でアルカリイオン水を必要とするとき、使用者は用途表示部３２３をみて直ちにｐＨ値が９．５以上であると知ることができる。そしてアク抜きや野菜ゆでが必要という用途だけから、他のものに迷わされることなく直ちにアク抜きや野菜ゆで用のイオン水を生成するｐＨ設定部３２１の所定の設定ボタンを押すことができる。なお、上記のアク抜きや野菜ゆでを含め以下で述べる用途表示部３２３で説明する具体的な用途は、単に代表例を取り上げているにすぎず、当然ながらこれに限られるものではない。そして使用者が、用途表示部３２３に対応した、ｐＨ値９．５以上のイオン水を設定可能な「アルカリ強」の設定ボタンを押せば、そのままｐＨ値９．５以上の濃度レベル表示ランプ３２２が点灯し、同時にｐＨ値表示部３２５にこの「アルカリ強」の濃度レベルで前回使用したｐＨ値がＬＣＤ表示される。もし、ＬＣＤ表示されたｐＨ値を変更したい場合は、ｐＨ微調整部３２６のプラスボタンもしくはマイナスボタンを押して調整すればよい。この後水栓２を開くと、水栓２から通水された原水は、浄水部４で原水中の残留塩素の臭いや一般細菌等の不純物が取り除かれ、ミネラル供給部５で電解容易な水に処理された後、流量センサ６を経て電解槽７に通水される。通水後制御手段１９が流量センサ６の信号を読み取り、流量レベルが一定レベルを越えると制御手段１９が通水中と判断する。
【００２８】
ところでこのとき電解用直流電源２４からの直流電圧電流は、出力制御回路２７、電解槽ー電磁弁切り替えリレー２８、極性切り替えリレー２９を介して電解槽７の電極板９，１０に給電されている。相対的にプラス電圧を印加する電極板を陽極、マイナス電極板を印加する電極板を陰極とすると、これにより、電解槽７内に隔膜８で仕切られた陽極室と陰極室とが形成される。制御手段１９はｐＨ設定部３２１の「アルカリ強」の設定ボタンが押されるか、あるいはこれに加えてｐＨ微調整部３２６によって調整された場合、記憶部３３に記憶されている前回使用のｐＨ値か、もしくは調整されたｐＨ値である目標のｐＨ値、及びこれに対応したデューティー比を読みだして、出力制御回路２７を動作させて電気分解を行う。なお、使用開始当初通水するときはｐＨ１０（図２において濃度レベル表示ランプ３２２の左側に表示した初期値である）が予め記憶部３３に入力されている。生成したイオン水のｐＨ値はｐＨセンサ３１によって直ちにフィードバックされ、制御手段１９はデューティー比を増減して目標とするｐＨ値に近づけるように制御手段１９は電気分解を制御する。制御されて吐出されるイオン水のｐＨ値は、実質的にみてｐＨ表示部３２５にＬＣＤ表示されたｐＨ値にほぼ等しいから、使用者がこの表示をみれば生成中のイオン水のｐＨ値を知ることができる。
【００２９】
水栓２を止めると、制御手段１９は流量センサ６からの信号で通水終了と判断し、この時点でｐＨセンサ３１が測定したｐＨ値を新しいｐＨ値として、記憶部３３内のｐＨ値を交換的に更新する。ただ流量調整部１２をそのままの状態にし、且つある特定の場所で水質が一定した原水を利用するような場合には、例え場所々々で水質が異なっていても、制御手段１９がこれらを学習していくため更新したｐＨ値に変更を加える必要がなくなり、その後の操作がきわめて簡単になる。通常使用者の嗜好もそれほどは変化しないものであるから、ｐＨ設定部３２１の選択ボタンを選択するだけで次第にｐＨ微調整部３２６で微調整をすることは必要なくなるものである。
【００３０】
以上はｐＨ設定部３２１で「アルカリ強」を選択した場合の説明であるが、ｐＨ設定部３２１にはこの他「アルカリ３」「アルカリ２」「アルカリ１」「浄水」「酸性」の選択ボタンがある。「アルカリ３」は濃度レベルがｐＨ値９〜９．５に相当し、用途表示部３２３で表示した飲用、料理用という用途に対応している。「アルカリ２」は濃度レベルがｐＨ値８．５〜９であり、用途表示部３２３で表示した炊飯用という用途に対応している。また、「アルカリ１」は濃度レベルがｐＨ値８〜８．５であり、用途表示部３２３で表示した通常の飲用に使用する飲用初期という用途に対応しているものである。「浄水」は濃度レベルがｐＨ値６〜８であって、用途表示部３２３で表示した浄水を吐出するものである。この場合、制御手段１９は電気分解をするためのシーケンスの動作指令を出さない。そして使用者が水栓２を開くと、水栓２から通水された原水は、浄水部４で原水中の残留塩素の臭いや不純物を取り除かれた後、カルシウム供給部５を通って電気分解しない電解槽７を通過して、吐出管１３から吐出されるものである。そして、上述したように用途はこれらに限られるものではない。また、濃度レベルの数やそのときのｐＨ値の範囲も必要に応じて設定することができるものである。
【００３１】
さらに「酸性」は濃度レベルがｐＨ値４〜６に相当し、用途表示部３２３で表示した洗顔用という用途に対応している。もし使用者が洗顔したいと思えば、段階的に一覧表示された用途表示部３２３の中で洗顔という表示を見つければ、これと対応した「酸性」の選択ボタンが洗顔に適した選択ボタンであることを直ちに知ることができる。そしてこの「酸性」選択ボタンを押すと、ｐＨ値４〜６の濃度レベル表示ランプ３２２が点灯し、ｐＨ値表示部３２５にこの濃度レベルで前回使用したｐＨ値がＬＣＤ表示される。もし、ＬＣＤ表示されたｐＨ値を変更したい場合には、ｐＨ微調整部３２６のプラスボタンもしくはマイナスボタンを押して調整する。
【００３２】
続いて水栓２を開くと、水栓２から通水された原水は、浄水部４とカルシウム供給部５と流量センサ６を経て電解槽７に通水される。制御手段１９が流量センサ６の信号を読み取って、流量レベルが一定レベルを越えたとき制御手段１９は通水中と判断する。
【００３３】
ところでこのとき電解用直流電源２４からの直流電圧電流が電解槽７の電極板９，１０に給電される。制御手段１９はｐＨ設定部３２１の「酸性」の設定ボタン、もしくはこれに加えてｐＨ微調整部３２６が調整されると、前回使用のｐＨ値か、あるいは微調整されたｐＨ値を読みだすが、これと同時に、このｐＨ値に対応するデューティー比を記憶部３３から読みだし、出力制御回路２７を動作させて電気分解を行う。生成したイオン水のｐＨ値はｐＨセンサ３１によって直ちにフィードバックされ、デューティー比は増減されて目標とするｐＨ値に近づけられる。このようにして吐出管１３から所望のｐＨ値の酸性イオン水が吐出される。水栓２を止めると、制御手段１９は流量センサ６からの信号で通水終了と判断し、同時にこの時点でｐＨセンサ３１が測定したｐＨ値を「酸性」における新しいｐＨ値として、記憶部３３内のｐＨ値を更新する。
【００３４】
ところで本実施の形態においてはｐＨ設定部３２１にとくに専用の選択ボタンを設けることはしていないが、用途表示部３２３に表示した洗いもの等の用途のために、強酸性イオン水を生成、利用することができる。すなわちｐＨ設定部３２１の「アルカリ強」の選択ボタンを押すとともに水栓２を絞れば、電気分解によって強アルカリイオン水とともに強酸性イオン水が生成されるから、別途設けた酸性水スタンドに接続されている放水管１５から排出される強酸性イオン水を使用すれば、専用の選択ボタンなしにでもｐＨ値３以下の強酸性イオン水の利用が可能になる。もちろん専用の選択ボタンを設けて、電気分解によって吐出管１３から強酸性イオン水を吐出させることもできる。
【００３５】
このように本実施の形態によれば、水の用途に応じたｐＨ値の設定を簡単にすることができ、用途表示部３２３に強酸性イオン水の生成吐出方法を表示をすることにより、「強酸性」に対応した選択ボタンを設けないで強酸性イオン水を生成することができ、システムをコンパクトにすることができる。
【００３６】
【発明の効果】
以上の説明から分かるように、本発明のアルカリイオン整水器によれば、水の用途に応じたｐＨ値の設定を簡単にすることができ、各地で原水が異なってもいても生成するイオン水のｐＨ値を所定の値に保つことができ、使用する原水の水質を学習していくことで調節する手間が次第に減っていくアルカリイオン整水器を提供することができる。
【図面の簡単な説明】
【図１】本発明の実施の形態におけるアルカリイオン整水器の概略構造図
【図２】本発明の実施の形態におけるアルカリイオン整水器の操作表示部概略図
【図３】本発明の実施の形態におけるアルカリイオン整水器の要部電気回路図
【図４】従来のアルカリイオン整水器の概略構造図
【図５】従来のアルカリイオン整水器の操作表示部概略図
【図６】従来のアルカリイオン整水器の要部電気回路図
【符号の説明】
１  原水管
２  水栓
３  アルカリイオン整水器
４  浄水部
５  カルシウム供給部
６  流量センサ
７  電解槽
８  隔膜
９，１０  電極板
１１  排水管
１２  流量調整部
１３  吐出管
１４  電磁弁
１５  放水管
１６  浄水器センサ
１７  電源投入用プラグ
１８  電源部
１９  制御手段
２０，３２  操作表示部
２１  付着物
２２  トランス
２３  制御用直流電源
２４  電解用直流電源
２５  カレントトランスデューサ
２６  平滑化回路
２７  出力制御回路
２８  電解槽ー電磁弁切り替えリレー
２９  極性切り替えリレー
３０  電磁弁ソレノイド
３１  ｐＨセンサ
３３  記憶部
２００  モード選択ボタン
２０１  生成報知部
２０２  ｐＨ調節ボタン
２０３，３２７  カルシウム補充リセットスイッチ
２０４，３２８  洗浄報知部
３２１  ｐＨ設定部
３２２  濃度レベル表示ランプ
３２３  用途表示部
３２４  生成表示部
３２５  ｐＨ値表示部
３２６  ｐＨ微調整部
３２９  ｐＨ校正部
【図１】
0003666102.tif 000002
【図２】
0003666102.tif 000003
【図３】
0003666102.tif 000004
【図４】
0003666102.tif 000005
【図５】
0003666102.tif 000006
【図６】
0003666102.tif 000007